(57)【要約】      （修正有）【課題】電動工具用スイッチにおいて、リード線と接続端子との接続及び解除を簡単にすること、製造が容易な構造にし、リード線の挿入穴と解除レバーとを同一の側面に設け、スペース的な効率を良くすること。【解決手段】ハウジングに配設されたトリガーを操作することにより、接続端子間を導通または遮断させて、オン・オフを行う電動工具用スイッチであって、挿入穴の一側面側にリード線の挿着方向と略平行に解除レバーを摺動自在に配設し、解除レバーで弾性支持体を押圧することにより、弾性支持体の押圧によるリード線の係合固定を解除できる構成にしたことによって、リード線の挿入穴と解除レバーとが同一の側面に位置し、片手で解除レバーを押し込みながらリード線を抜き取ることができ、リード線の挿入穴が設けられる側面を開放状態にし、その開放状態にする位置に解除レバーを設けることで、スペース的な効率を良くすることができる。【選択図】  図４
2004181544.tif 000002
【特許請求の範囲】
【請求項１】
ハウジングに少なくとも２箇所のリード線の挿入穴を形成し、該挿入穴内に接続端子と弾性支持体とをそれぞれ配設し、該挿入穴内にリード線を挿入させることにより、該リード線を前記弾性支持体により前記接続端子に押圧支持して接続し、前記ハウジングに配設されたトリガーを操作することにより、前記接続端子間を導通または遮断させて、オン・オフを行う電動工具用スイッチであって、
前記挿入穴の一側面側にリード線の挿着方向と略平行に解除レバーを摺動自在に配設し、該解除レバーで前記弾性支持体を押圧することにより、前記弾性支持体の押圧によるリード線の係合固定を解除できる構成にしたこと
を特徴とする電動工具用スイッチ。
【請求項２】
ハウジングに少なくとも２箇所のリード線の挿入穴を形成し、該挿入穴内に接続端子と弾性支持体とをそれぞれ配設し、該挿入穴内にリード線を挿入させることにより、該リード線を前記弾性支持体により前記接続端子に押圧支持して接続し、前記ハウジングに配設されたトリガーを操作することにより、前記接続端子間を導通または遮断させて、オン・オフを行う電動工具用スイッチであって、
前記２箇所のリード線の挿入穴は、前記ハウジングの同一側面に形成し、該２箇所の挿入穴に連通させて解除レバーをスライド自在に配設し、該解除レバーをスライドさせることにより、前記弾性支持体の押圧によるリード線の係合固定を解除できる構成にしたこと
を特徴とする電動工具用スイッチ。
【請求項３】
前記ハウジングには、
トリガーの操作位置を保持するロックボタンを配設したこと
を特徴とする請求項１または２に記載の電動工具用スイッチ。
【請求項４】
前記ロックボタンの下端部には、
突出部を形成し、
トリガーと一体的にされたスライド部材の端部に凹部を形成し、
これら突出部と凹部とが嵌合することにより、前記トリガーの操作位置を保持すること
を特徴とする請求項３に記載の電動工具用スイッチ。
【請求項５】
前記弾性支持体は、
板バネであること
を特徴とする請求項１または２に記載の電動工具用スイッチ。
【発明の詳細な説明】
【０００１】
【発明の属する技術分野】
本発明は、ハウジングの挿入穴にリード線を挿入して、該リード線と接続端子とを接続する電動工具用スイッチに関し、特に、接続端子と対向する弾性体によりリード線を押圧して係止すると共に、解除レバーにより前記リード線の押圧を簡単に解除できるようにした電動工具用スイッチに関するものである。
【０００２】
【従来の技術】
従来、この種の電動工具用スイッチにおいては、接続端子とリード線とを接続させる場合には、図１４に示してあるように、ハウジング１に形成されたリード線２の挿入穴３に接続端子４を配設し、該挿入穴３にリード線２を挿入させた状態で、板バネ５をネジ６によって押圧することによって、リード線２と接続端子４とを接続させる方法がある。
【０００３】
しかし、この図１４の方法を用いた場合、リード線２と接続端子４との接続または解除をするためには、図示していないドライバー等の工具を用いて、その都度ネジ６を調整しなければならず、作業が非常に煩雑になり、作業工数が増加していた。
【０００４】
また、図１４のネジ６を使用しない場合には、図１５に示してあるように、板バネ５の弾性力によってリード線２を押圧することによって、リード線２を係止する方法がある。
【０００５】
この図１５の方法を用いてリード線２と接続端子４とを接続させる場合には、リード線２を挿入穴３に挿入させるという簡単な作業で接続できるが、リード線２と接続端子４とを解除をする場合には、挿入穴３の近傍に設けられた解除用孔７からピンセット８を挿入させ、該ピンセット８によって板バネ５を押し上げることによって、リード線２に対する板バネ５の押圧を解除し、その間にリード線２を引き抜かなければならず、作業が煩雑であり、作業工数が増加していた。
【０００６】
そこで、電線と端子との接続及び解除を簡単にするものとして、端子が、電線挿通孔を通して挿通される電線を挟んで対向するように受板部と基板部を備え、基板部から電線挿通方向に向かって斜め上向きに弾接係止ビームが連設されていると共に、前記弾接係止ビームと反対の方向に向かって斜め上向きに補助ビームが連設され、補助ビームが弾接係止ビームを受板部側に付勢可能にしており、前記電線挿通孔を通して挿通された電線が受板部と弾接係止ビームの先端縁の間で保持できるようにした電線用電気コネクタがある（特許文献１参照）。
【０００７】
この特許文献１の公知技術は、単に電線用電気コネクタであり、電動工具を操作するためのトリガー等が設けられているものではなく、また、その構成においては、電線を挿入または引き抜く方向と、解除レバーを押圧する方向とが直交ものである。
【０００８】
【特許文献１】
特開平９−２１３４０３号公報（第２〜４頁、図１）
【０００９】
【発明が解決しようとする課題】
しかしながら、前記特許文献１の電線用電気コネクタを用いた場合には、端子の形状が非常に複雑であり、且つ、ハウジングと、端子と、解除レバーとの関係が複雑であることから、前記電線用電気コネクタの製造が容易でないという問題点を有する。
【００１０】
また、電線を挿通させる電線挿通孔と解除レバーとが、電線用電気コネクタの異なる面に設けられているため、該電線用電気コネクタを装置等に配設させる場合には、少なくとも電線挿通孔と解除レバーとが設けられた面を開放状態にしなければならないため、スペース的な効率が悪いという問題点を有する。
【００１１】
従って、従来の電動工具用スイッチにおいては、リード線と接続端子との接続及び解除を簡単にすると共に、電動工具用スイッチの製造が容易な構造にし、また、リード線の挿入穴と解除レバーとを同一の側面に設け、スペース的な効率を良くするということに解決しなければならない課題を有している。
【００１２】
【課題を解決するための手段】
上記した従来例の課題を解決する具体的手段として本発明に係る第１の発明として、ハウジングに少なくとも２箇所のリード線の挿入穴を形成し、該挿入穴内に接続端子と弾性支持体とをそれぞれ配設し、該挿入穴内にリード線を挿入させることにより、該リード線を前記弾性支持体により前記接続端子に押圧支持して接続し、前記ハウジングに配設されたトリガーを操作することにより、前記接続端子間を導通または遮断させて、オン・オフを行う電動工具用スイッチであって、前記挿入穴の一側面側にリード線の挿着方向と略平行に解除レバーを摺動自在に配設し、該解除レバーで前記弾性支持体を押圧することにより、前記弾性支持体の押圧によるリード線の係合固定を解除できる構成にしたことを特徴とする電動工具用スイッチを提供するものである。
【００１３】
また、本発明に係る第２の発明として、ハウジングに少なくとも２箇所のリード線の挿入穴を形成し、該挿入穴内に接続端子と弾性支持体とをそれぞれ配設し、該挿入穴内にリード線を挿入させることにより、該リード線を前記弾性支持体により前記接続端子に押圧支持して接続し、前記ハウジングに配設されたトリガーを操作することにより、前記接続端子間を導通または遮断させて、オン・オフを行う電動工具用スイッチであって、前記２箇所のリード線の挿入穴は、前記ハウジングの同一側面に形成し、該２箇所の挿入穴に連通させて解除レバーをスライド自在に配設し、該解除レバーをスライドさせることにより、前記弾性支持体の押圧によるリード線の係合固定を解除できる構成にしたことを特徴とする電動工具用スイッチを提供するものである。
【００１４】
この第１、第２の発明において、前記ハウジングには、トリガーの操作位置を保持するロックボタンを配設したこと；前記ロックボタンの下端部には、突出部を形成し、トリガーと一体的にされたスライド部材の端部に凹部を形成し、これら突出部と凹部とが嵌合することにより、前記トリガーの操作位置を保持すること；及び前記弾性支持体は、板バネであること；を付加的な要件として含むものである。
【００１５】
本発明に係る電動工具用スイッチにおいては、ハウジングに形成したリード線の挿入穴に対して、リード線の挿着方向と略平行に解除レバーを摺動自在に配設した構成とすること、及び２箇所のリード線の挿入穴は、前記ハウジングの同一側面に形成し、該２箇所の挿入穴に連通させて解除レバーをスライド自在に配設した構成とすることにより、リード線と接続端子との接続及び解除を簡単にすると共に、リード線の挿入穴と解除レバーとを同一の側面に設け、スペース的な効率を良くすることができるのである。
【００１６】
【発明の実施の形態】
次に、本発明を具体的な実施の形態に基づいて詳しく説明する。
まず、図１〜図９に示した第１の実施の形態に係る電動工具用スイッチについて説明すると、図１には電動工具用スイッチの平面を略示的に示すものであり、スイッチ本体１０を構成するハウジング１１には、複数個（図示の実施の形態では４個）のリード線接続部１２が設けられている。
【００１７】
この場合に、、リード線接続部１２が設けられる位置は、ハウジング１１の両側面であって、２個宛が対称的に両側に設けられるものである。そして、これらリード線接続部１２には、例えば、電源側の端子と負荷（モーター等）側の端子とが接続される。その他の使用例としては、例えば、接地用リード線とか、電圧値の異なるリード線等も適宜接続することができる。
【００１８】
また、スイッチ本体１０の一方の端面には、トリガー１３が配設されており、該トリガー１３を操作することにより、スイッチ本体１０の内部において、前記リード線接続部１２に接続されたリード線間を電気的に導通させて、電動工具等の電源のＯＮ／ＯＦＦを切り換えることができるようになっている。
【００１９】
スイッチ本体１０の上面側には、ロックボタン１４が突出状態に配設されており、前記トリガー１３の操作時に、該ロックボタン１４を押圧操作することによって、トリガー１３の操作状態をそのまま保持することができるようになっている。
【００２０】
図２は、図１のＡ−Ａ線に沿う断面図であり、トリガー１３の支持軸１５は、ハウジング１１の壁部を貫通して内部に配設されたスライド部材１６に一体的に結合され、支持軸１５の周囲に配設されたコイルスプリング等の弾性体１７によって常に外方向に付勢されている。
【００２１】
トリガー１３は、弾性体１７に抗して矢印ａ方向に押圧することによりスイッチ操作ができるようになっており、押圧を解除すると弾性体１７によって自動的に元の位置に復帰し、スイッチ操作が解除されるようになっている。
【００２２】
ロックボタン１４は、中空の軸部１８を有し、該軸部１８がハウジング１１に設けられたガイド用筒体１１ａの内側に摺動自在に挿着されて支持され、コイルスプリング等の弾性体１９によって外側方向に付勢されている。そして、軸部１８の先端部には、周方向に僅かにフランジ状に突出する突出部２０が設けられており、該突出部２０がガイド用筒体１１ａの付け根部分の内側に係合して突出状態を維持している。
【００２３】
ロックボタン１４は、トリガー１３を矢印ａの方向に操作し、スライド部材１６がスライドされた状態でないと、軸部１８の下端がスライド部材１６に突き当たって押圧操作できない構成になっている。なお、スライド部材１６には、トリガー１３側の端縁に凹部２１が形成されている。
【００２４】
そして、図３に示したように、トリガー１３を矢印ａの方向に押圧操作している状態において、ロックボタン１４を矢印ｂの方向に押圧操作することができ、ロックボタン１４を押圧操作したときに、スライド部材１６の凹部２１に軸部１８の突出部２０が係合して、スライド部材１６を一時的に固定状態にすることができ、トリガー１３から手を離しても操作位置がそのまま確保されるのである。
【００２５】
このロックボタン１４によるトリガー１３の操作位置の確保を解除する場合には、トリガー１３を矢印ａの方向に再度操作することにより、ロックボタン１４の突出部２０がスライド部材１６の凹部２１から離脱し、係合が解除される。
【００２６】
この係合離脱によって、ロックボタン１４は、弾性体１９の作用により、自動的に元の位置に復帰するため、トリガー１３から手を離すことにより、トリガー１３も、弾性体１７の作用により元の位置に戻って操作状態が解除される。
【００２７】
このような構成のスイッチ本体１０において、図４に示したように、トリガー１３とロックボタン１４の操作及び操作位置確保に支障を来さない位置に、複数のリード線接続部１２が設けられているのであり、各リード線接続部１２には、リード線の挿入穴２２がそれぞれ形成されている。これらリード線接続部１２の構成は実質的に同一構成を有しているので説明の都合上、その一つのリード線接続部１２について説明する。
【００２８】
リード線接続部１２における挿入穴２２につながる内部空室２２ａには、一方の壁部に沿わせて接続端子２３が配設されており、該接続端子２３と対向する側には、弾性支持体２４を配設させてある。この弾性支持体２４は、例えば、全体を略Ｕ字状に屈曲または折り曲げて形成した板バネ等を使用することができる。
【００２９】
また、挿入穴２２の一つの側面で且つ弾性支持体２４が配設されている側面には、内部空室２２ａまで連通するスリット状の孔２５が形成されており、該スリット状の孔２５には、解除レバー２６がスライドまたは摺動自在な状態で配設されている。
【００３０】
この解除レバー２６は、図５（ａ）に拡大して示したように、平面から見て先端部２６ａを両側に延伸させ全体として略Ｔ字状に形成されている。また、図５（ｂ）に拡大して示したように、解除レバー２６の先端部２６ａ側は、テーパー面２６ｂに形成されており、更に、後端側は、押圧操作しやすいように、稍大き目にした張出部２６ｃが形成されている。
【００３１】
このように形成した解除レバー２６を取り付けたリード線接続部１２を拡大して上面から見た断面を図６に示してある。この図から明らかなように、解除レバー２６は、スリット状の孔２５に摺動自在にフリーの状態で配設されているが、そのＴ字状の先端部２６ａが、スリット状の孔２５よりも大きく形成されているため、抜け落ちることはないのである。
【００３２】
次に、外部からのリード線の挿着及び離脱について、リード線接続部１２を拡大して断面で示した図７〜図９に基づいて説明する。まず、図７は、まだリード線が挿入されていない場合を示すものであって、挿入穴２２からリード線が挿入されていない時には、Ｕ字状に形成した弾性支持体２４の折り返し部２４ａが開いた状態になっており、弾性支持体２４の先端部２４ｂが内部空室２２ａの奥に向かって傾斜した状態、即ち、リード線の挿入される方向に傾斜して接続端子２３と接触している。
【００３３】
この状態で、挿入穴２２に半田上げ処理をしたリード線２７を挿入させた場合には、図８に示したように、該リード線２７の挿入によって弾性支持体２４の先端部２４ｂが強制的に押し上げられると共に、折り返し部２４ａが閉じる方向に変形させられるため、その反発力によって弾性支持体２４の弾性力がより強くなる。
【００３４】
その強くなった弾性支持体２４の弾性力によって、先端部２４ｂがリード線２７を押圧することによって、該リード線２７は接続端子２３に強く押しつけられて、該接続端子２３と前記リード線２７とが圧接接続されると共に、一旦挿着されたリード線２７は、引き抜く方向に作用させても、傾斜した先端部２４ａがリード線２７に食い込むように作用するので安定した係止固定がなされる。
【００３５】
このように、接続端子２３とリード線２７とが接続された状態で、前記トリガー１３を操作することにより、図示していないが、前記スイッチ本体１０の内部に配設されたいずれか２つの接続端子２３が導通され、該接続端子２３を介して前記リード線接続部１２に接続されたリード線２７を導通させて、前記スイッチ本体１０の電源のＯＮ／ＯＦＦ等を切り換えることができるようになっている。
【００３６】
また、リード線２７の係止を解除して、該リード線２７を引き抜く場合には、図９に示したように、解除レバー２６の張出部２６ｃを押圧して、該解除レバー２６を内部空室２２ａ側に押し込むことにより、該解除レバー２６のＴ字状の先端部２６ａが弾性支持体２４に当接し、そのまま更に該解除レバー２６を押し込むことにより、該解除レバー２６の先端部２６ａとテーパー面２６ｂとが弾性支持体２４に当接して縮める方向に押圧変形させ、リード線２７と接触している弾性支持体２４の先端部２４ｂがリード線２７から離れることによって係止固定が解除され、リード線２７を引き抜くことができるようになる。
【００３７】
この際、解除レバー２６の先端部２６ａがテーパー面２６ｂとなっていることにより、押し込まれた解除レバー２６の先端部２６ａが弾性支持体２４に当接した後も、スムーズに滑動して前記解除レバー２６を押し込めるのであり、弾性支持体２４を簡単に押し縮めることができるのである。
【００３８】
また、半田上げ処理をしていないリード線を用いる場合には、リード線を挿入させる際に、予め解除レバー２６を押し込むことによって弾性支持体２４を押し縮めておけば、半田上げ処理をしていないリード線であっても、簡単に挿入させることができ、挿入後において、前記解除レバー２６による弾性支持体２４の押し縮めを解除することによって、挿着したリード線を係止固定できると共に、該リード線と接続端子とを強固に圧接接続させることができるのである。
【００３９】
このように、接続端子２３と対向させて弾性支持体２４を配設し、該弾性支持体２４の弾性力と挿入方向への傾斜とによりリード線２７を係止固定することによって、簡単に該リード線２７と接続端子２３とを圧接接続させることができ、且つ、挿入穴２２の一側面に解除レバー２６を配設し、該解除レバー２６を操作して前記弾性支持体２４を縮める方向に押圧変形させることにより、該弾性支持体２４の圧接によるリード線２７の係止固定を簡単に解除できるのである。
【００４０】
また、接続端子２３と、弾性支持体２４と、解除レバー２６の各部品がそれぞれ複雑な形状を必要としないことから、それぞれの部品の製造が容易であると共に、挿入穴２２につながる内部空室２２ａに接続端子２３と、弾性支持体２４とを配設し、挿入穴２２の一側面にスリット状の解除レバー用孔２５を形成し、該解除レバー用孔２５にスライドまたは摺動自在な状態で解除レバー２６を配設するという簡単な構造であり、スイッチ本体１０の製造が容易に行えるのである。
【００４１】
特に、解除レバー２６の配設は、スイッチ本体１０におけるロックボタン１４の配設面ではなく、側面側でリード線２７の挿着方向と略平行する方向に設けてあるため、トリガー１３の操作で内部をスライドするスライド部材１６のスペース的な制約を受けることなく、また、スライド動作の障害にならないように設計の自由度が増大するのである。
【００４２】
更に、リード線２７を引き抜く方向が、解除レバー２６を押圧する方向と平行な相反する方向であるため、該解除レバー２６に力を加えながら、その反対の方向に前記リード線２７を引き抜けば良いので、該リード線２７を引き抜く作業が容易にでき、また、リード線２７の挿入穴２２と解除レバー２６とを同一の側面に設けたので、スイッチ本体１０を工具等装置に配設した場合に、空間を必要とする面が一面だけであるので、スペース的な効率が良くなるのである。
【００４３】
本発明の第２の実施の形態に係る電動工具用スイッチを図１０〜図１３に示してある。これらの図面は、要部を拡大して示した断面図であり、これらの図面を用いて説明する。なお、第２の実施の形態の電動工具用スイッチにおいて、前記第１の実施の形態と同様の構成部分については、第１の実施の形態と同一の符号を付して説明し、その詳細な説明は省略する。
【００４４】
図１０において、スイッチ本体１０を構成するハウジング１１の一つの側面にリード線接続部１２が設けられるものであり、該リード線接続部１２には、隣接した２つの挿入穴３１ａ、３１ｂが設けられ、各挿入穴に連通してその奥にそれぞれ内部空室３１ｃ、３１ｄが設けられており、これら内部空室３１ｃ、３１ｄは、断面略山形の仕切壁１１ｂによって一応区画されているが、該仕切壁１１ｂの頂部側に設けた解除レバー用孔３２によって、連通された状態になっている。なお、図１０においては、挿入穴３１ａ、３１ｂにリード線が挿入されていない場合を示してある。
【００４５】
前記解除レバー用孔３２には、両端にそれぞれ押圧部３３ａ、３３ｂを形成した略Ｔ字状を呈する解除レバー３３が、２つの内部空室３１ｃ、３１ｄに跨った状態で、且つ仕切壁１１ｂの頂部に当接させて配設され、外部に僅かに突出した摘み部３３ｃを介してスライド自在に配設されている。
【００４６】
各内部空室３１ｃ、３１ｄ内には、それぞれ接続端子２３ａ、２３ｂと弾性支持体３４、３５とが配設され、該弾性支持体３４、３５は断面略山形の仕切壁１１ｂに沿って配設され、頂部側でのＵ字状の折り返し部３４ａ、３５ａは開いた状態になっており、一部が解除レバー３３の平面部及び押圧部３３ａ、３３ｂに接触した状態で静止し、且つ弾性支持体３４、３５の先端部３４ｂ、３５ｂが内部空室３１ｃ、３１ｄの奥に向かって傾斜した状態、即ち、リード線の挿入される方向に傾斜して接続端子２３ａ、２３ｂと近接した状態になっている。
【００４７】
このような構成を有するリード線接続部１２の挿入穴３１ａ、３１ｂ内に半田上げ処理をしたリード線２７ａ、２７ｂを挿入させた場合には、図１１に示したように、該リード線２７ａ、２７ｂの挿入によって弾性支持体３４、３５の先端部３４ｂ、３５ｂが押し上げられると共に、折り返し部３４ａ、３５ａが閉じた状態になり、弾性支持体３４、３５の弾性力がより強くなってリード線２７ａ、２７ｂを挟持する。
【００４８】
その強くなった弾性支持体３４、３５の弾性力によって、先端部３４ｂ、３５ｂがリード線２７ａ、２７ｂを押圧することによって、該リード線２７ａ、２７ｂは接続端子２３ａ、２３ｂに強く押しつけられて、該接続端子２３ａ、２３ｂと前記リード線２７ａ、２７ｂとが圧接接続されると共に、一旦挿着された該リード線２７ａ、２７ｂは、引き抜く方向に作用させても、傾斜した先端部３４ｂ、３５ｂがリード線２７ａ、２７ｂに食い込むように作用するので安定した係止固定がなされる。
【００４９】
リード線２７ａ、２７ｂの係止を解除して、該リード線２７ａ、２７ｂを引き抜く場合には、図１２に示したように、解除レバー３３を矢印ｃの方向にスライドさせることにより、該解除レバー３３の押圧部３３ａによって弾性支持体３４を押圧し、該弾性支持体３４の折り返し部３４ａを閉める方向に作用させて、該弾性支持体３４の先端部３４ｂをリード線２７ａから離隔させて係止固定を解除させ、該リード線２７ａを引き抜くことができるようになる。
【００５０】
また、図１３のように、解除レバー３３を矢印ｄの方向にスライドさせることにより、該解除レバー３３の押圧部３３ｂによって弾性体３５を押圧し、該弾性体３５の折り返し部３５ａを閉める方向に作用させて、該弾性支持体３５の先端部３５ｂをリード線２７ｂから離隔させて係止固定を解除させ、該リード線２７ｂを引き抜くことができるようになる。
【００５１】
この解除レバー３３をスライドさせる方向は、前記の順序に限られるものではなく、要するに、引き抜こうとするリード線２７ａ、２７ｂに対して、片方づつ反対方向、つまり離れる方向に解除レバー３３をスライドさせれば良いのであって、同時にはリード線２７ａ、２７ｂの係止固定を解除して引き抜くことはできないようになっている。
【００５２】
更に、半田仕上げ処理をしていないリード線を用いる場合には、リード線を挿入させる際に、予め解除レバー３３を矢印ｃ、ｄの方向にスライドさせて弾性支持体３４、３５の各折り返し部３４ａ、３５ａを交互に閉じた状態にすることによって、半田上げ処理をしていないリード線であっても、簡単に挿入させることができるのである。
【００５３】
このように、簡単に挿着させたリード線２７ａ、２７ｂと接続端子２３ａ、２３ｂとを接続させることができ、且つ解除レバー３３をスライド操作するだけで弾性支持体３４、３５の押圧による係止固定を簡単に解除できるのであり、これら接続端子２３ａ、２３ｂと、弾性支持体３４、３５と、解除レバー３３との部品はそれぞれ複雑な形状を必要としないことから、それぞれの部品の製造及び組立が容易であり、更には、リード線２７ａ、２７ｂの挿入穴３１ａ、３１ｂと解除レバー３３とを同一の側面に設けたので、スペース的な制約を受けることがないのである。
【００５４】
要するに、この第２の実施の形態に係る電動工具用スイッチは、それぞれ接続端子と弾性支持体とを配設した２つの挿入穴をハウジングの同一側面に形成し、該２つの挿入穴に連通させて解除レバーをスライド自在に配設し、該解除レバーをスライドさせることにより、前記弾性支持体の押圧によるリード線の係止固定を解除して、リード線を引く抜くことができるようにしたものである。
【００５５】
【発明の効果】
以上説明したように、本発明の第１の発明に係る電動工具用スイッチは、ハウジングに少なくとも２箇所のリード線の挿入穴を形成し、該挿入穴内に接続端子と弾性支持体とをそれぞれ配設し、該挿入穴内にリード線を挿入させることにより、該リード線を前記弾性支持体により前記接続端子に押圧支持して接続し、前記ハウジングに配設されたトリガーを操作することにより、前記接続端子間を導通または遮断させて、オン・オフを行う電動工具用スイッチであって、前記挿入穴の一側面側にリード線の挿着方向と略平行に解除レバーを摺動自在に配設し、該解除レバーで前記弾性支持体を押圧することにより、前記弾性支持体の押圧によるリード線の係合固定を解除できる構成にしたことによって、リード線の挿入穴と解除レバーとが同一の側面に位置し、しかも、片手で解除レバーを押し込みながらリード線を抜き取ることができ操作性が良くなると共に、リード線の挿入穴が設けられる側面は開放状態にしなければならないことから、その開放状態にする位置に解除レバーを設けることで、スペース的な効率を良くすることができるという優れた効果を奏する。
【００５６】
また、本発明に係る第２の発明に係る電動工具用スイッチにおいては、ハウジングに少なくとも２箇所のリード線の挿入穴を形成し、該挿入穴内に接続端子と弾性支持体とをそれぞれ配設し、該挿入穴内にリード線を挿入させることにより、該リード線を前記弾性支持体により前記接続端子に押圧支持して接続し、前記ハウジングに配設されたトリガーを操作することにより、前記接続端子間を導通または遮断させて、オン・オフを行う電動工具用スイッチであって、前記２箇所のリード線の挿入穴は、前記ハウジングの同一側面に形成し、該２箇所の挿入穴に連通させて解除レバーをスライド自在に配設し、該解除レバーをスライドさせることにより、前記弾性支持体の押圧によるリード線の係合固定を解除できる構成にしたことにより、前記と同様に、リード線の挿入穴と解除レバーとが同一の側面に位置し、リード線の挿入穴が設けられる側面は開放状態にしなければならないことから、その開放位置にある解除レバーをスライドさせるだけでリード線を抜き取ることができため操作性が良くなると共に、その開放状態にする位置に解除レバーを設けることで、スペース的な効率を良くすることができるという優れた効果を奏する。
【図面の簡単な説明】
【図１】本発明の第１の実施の形態に係る電動工具用スイッチを略示的に示した上面図である。
【図２】図１のＡ−Ａ線に沿う略示的断面図である。
【図３】同実施の形態に係る電動工具用スイッチにおいて、ロックボタンを操作してトリガー動作位置を保持させた場合の図２と同様の略示的断面図である。
【図４】同実施の形態に係る電動工具用スイッチの一部を切り欠いて略示的に示した一方の側の端面図である。
【図５】（ａ）は、同電動工具用スイッチの解除レバーを拡大して略示的に示した平面図であり、（ｂ）は、その解除レバーの側面図である。
【図６】同電動工具用スイッチのリード線接続部を拡大して略示的に示し、平面から見た要部のみの断面図である。
【図７】同リード線接続部にリード線が挿入されていない状態を拡大して略示的に示した側断面図である。
【図８】同リード線接続部にリード線が挿入された状態を拡大して略示的に示した側断面図である。
【図９】同リード線接続部に挿入されたリード線を引き抜く場合を拡大して略示的に示した側断面図である。
【図１０】本発明の第２の実施の形態に係る電動工具用スイッチのリード線接続部にリード線が挿入されていない状態を拡大して略示的に示し平面から見た要部のみの断面図である。
【図１１】同リード線接続部にリード線が挿入された状態を拡大して略示的に示した図１０と同様の断面図である。
【図１２】同リード線接続部に挿入されたリード線の一方を引き抜く場合を拡大して略示的に示した図１０と同様の断面図である。
【図１３】同リード線接続部に挿入されたリード線の残された他方を引き抜く場合を拡大して略示的に示した図１０と同様の断面図である。
【図１４】一つの従来例である電動工具用スイッチのリード線接続部の板バネをネジで押圧してリード線を係止している状態を示した要部のみの断面図である。
【図１５】他の従来例である電動工具用スイッチのリード線接続部における板バネをピンセットで押圧してリード線の押圧を解除している状態を示した要部のみの断面図である。
【符号の説明】
１０  スイッチ本体部
１１  ハウジング
１１ａ  ガイド用筒体
１１ｂ  山形の仕切壁
１２  リード線接続部
１３  トリガー
１４  ロックボタン
１５  支持軸
１６  スライド部材
１７、１９  弾性体
１８  軸部
２０  突出部
２１  凹部
２２、３１ａ、３１ｂ  挿入穴
２２ａ、３１ｃ、３１ｄ  内部空室
２３、２３ａ、２３ｂ  接続端子
２４、３４、３５  弾性支持体
２４ａ、３４ａ、３５ａ  折り返し部
２４ｂ、２６ａ、３４ｂ、３５ｂ  先端部
２５  スリット状の孔
２６、３３  解除レバー
２６ａ  先端部
２６ｂ  テーパー面
２６ｃ  張出部
２７、２７ａ、２７ｂ  リード線
３２  解除レバー用孔
３３ａ、３３ｂ  押圧部
３３ｃ  摘み部
【図１】
2004181544.tif 000003
【図２】
2004181544.tif 000004
【図３】
2004181544.tif 000005
【図４】
2004181544.tif 000006
【図５】
2004181544.tif 000007
【図６】
2004181544.tif 000008
【図７】
2004181544.tif 000009
【図８】
2004181544.tif 000010
【図９】
2004181544.tif 000011
【図１０】
2004181544.tif 000012
【図１１】
2004181544.tif 000013
【図１２】
2004181544.tif 000014
【図１３】
2004181544.tif 000015
【図１４】
2004181544.tif 000016
【図１５】
2004181544.tif 000017